【手続補正書】
【提出日】平成27年8月12日(2015.8.12)
【手続補正１】
【補正対象書類名】特許請求の範囲
【補正対象項目名】全文
【補正方法】変更
【補正の内容】
【特許請求の範囲】
【請求項１】
画像を表示する方法であって、
前記画像を表示するために、表示される前記画像を表す１つ又は複数のグラフィックスプリミティブにテクスチャを適用するために、前記画像に対して表示される１つ以上の特徴を含む第１のグラフィックステクスチャと第２のグラフィックステクスチャとを組み合わせて使用することと、
前記画像を表示するために、前記適用されたテクスチャを有する前記画像を表す前記１つ又は複数のグラフィックスプリミティブを表示することとを備え、
前記第２のグラフィックステクスチャ及び前記組み合わせの動作は、前記第１のグラフィックステクスチャと前記第２のグラフィックステクスチャとを組み合わせて使用することにより、表示されている少なくとも１つの画像の特徴が当該特徴の境界を表す境界領域により縁取られるように構成されることを特徴とする方法。
【請求項２】
タイルベースの地図情報レンダリングを使用して地図情報を表示することと、
前記地図情報を表示するために表示される少なくとも１つのタイルに対して、
表示される前記タイルを表す１つ又は複数のグラフィックスプリミティブにテクスチャを適用するために、前記地図情報の前記タイルに対して表示される１つ以上の地図の特徴を含む第１のグラフィックステクスチャと第２のグラフィックステクスチャとを組み合わせて使用し、且つ
前記地図情報を表示するために前記タイルを表示するために、前記適用されたテクスチャを有する前記タイルを表す前記１つ又は複数のグラフィックスプリミティブを表示することにより、前記タイルを表示するためにレンダリングすることとを備え、
前記第２のグラフィックステクスチャ及び前記組み合わせの動作は、前記第１のグラフィックステクスチャと前記第２のグラフィックステクスチャとを組み合わせて使用することにより、前記タイル上に表示されている少なくとも１つの地図の特徴が当該地図の特徴の境界を表す境界領域により縁取られるように構成されることを特徴とする請求項１記載の方法。
【請求項３】
表示される前記画像又はタイルを表す１つ又は複数のグラフィックスプリミティブにテクスチャを適用するために、前記画像又は地図に対して表示される１つ以上の特徴を含む第１のグラフィックステクスチャと第２のグラフィックステクスチャとを組み合わせて使用することは、
前記画像又はタイルを表す前記１つ又は複数のグラフィックスプリミティブに適用される前記第１のグラフィックステクスチャと第２のグラフィックステクスチャとを組み合わせることと、
前記画像を表示するために又は前記地図情報を表示するための前記タイルを表示するために、前記適用されて組み合わされた第１のグラフィックステクスチャ及び第２のグラフィックステクスチャを有する前記画像又はタイルを表す前記１つ又は複数のグラフィックスプリミティブを表示することと、
を備えることを特徴とする請求項２記載の方法。
【請求項４】
前記第１のグラフィックステクスチャは、１つ以上の画像又は地図の特徴と１つ以上の透明領域とを前記グラフィックスプリミティブ上に表示するように構成され、前記第２のグラフィックステクスチャは、画像又は地図の特徴と、前記テクスチャが組み合わされる場合に前記第１のグラフィックステクスチャの前記透明領域に現れる当該画像又は地図の特徴の境界とを表示するように構成され、
表示される前記画像又はタイルを表す１つ又は複数のグラフィックスプリミティブにテクスチャを適用するために、前記画像又は地図に対して表示される１つ以上の特徴を含む第１のグラフィックステクスチャと第２のグラフィックステクスチャとを組み合わせて使用することは、
前記第１のグラフィックステクスチャとビュー方向に依存してパースペクティブ補正用に変位された前記第２のグラフィックステクスチャのバージョンとを組み合わせることと、前記組み合わされた第１のグラフィックステクスチャ及び第２のグラフィックステクスチャを前記画像又はタイルを表す前記１つ又は複数のグラフィックスプリミティブに適用することとを備えることを特徴とする請求項１から３のいずれか１項に記載の方法。
【請求項５】
前記第１のグラフィックステクスチャは、表示される前記画像又は地図の特徴を含み、前記第２のグラフィックステクスチャは、２つのテクスチャが組み合わされる場合に前記第１のグラフィックステクスチャの選択領域の強度を変調する値を含む変調マップの形態であることを特徴とする請求項１から３のいずれか１項に記載の方法。
【請求項６】
前記第２のグラフィックステクスチャは、前記第１のグラフィックステクスチャ内の種々の前記画像又は地図の特徴の相対高さを示す高さマップと、ビュー方向に依存してパースペクティブ補正用に変位された前記高さマップのバージョンとから導出されることを特徴とする請求項５記載の方法。
【請求項７】
前記第１のグラフィックステクスチャは、表示される前記画像又は地図の特徴を含み、
前記第２のグラフィックステクスチャは、前記第１のグラフィックステクスチャの変位バージョンであり、
前記テクスチャを組み合わせて使用することは、前記第１のグラフィックステクスチャと前記第２のグラフィックステクスチャとを比較することと、前記第１のグラフィックステクスチャと前記第２のグラフィックステクスチャとの前記比較に基づいて前記１つ又は複数のプリミティブにおける前記第１のグラフィックステクスチャの表示を選択的に変更することとを含むことを特徴とする請求項１又は２記載の方法。
【請求項８】
前記第１のグラフィックステクスチャは、表示される前記画像又は地図の特徴を含み、
前記第２のグラフィックステクスチャは、前記第１のグラフィックステクスチャの変位バージョンであり、
前記画像又はタイルを表すプリミティブの画素に対して表示される出力色は、当該画素に対する前記第１のグラフィックステクスチャの値と当該画素に対する前記第２のグラフィックステクスチャの値との比較に基づくことを特徴とする請求項１、２又は７記載の方法。
【請求項９】
画像を表示する装置であって、
前記画像を表示するために、表示される前記画像を表す１つ又は複数のグラフィックスプリミティブにテクスチャを適用するために、前記画像に対して表示される１つ以上の特徴を含む第１のグラフィックステクスチャと第２のグラフィックステクスチャとを組み合わせて使用する手段と、
前記画像を表示するために、前記適用されたテクスチャを有する前記画像を表す前記１つ又は複数のグラフィックスプリミティブを表示する手段とを備え、
前記第２のグラフィックステクスチャ及び前記組み合わせの動作は、前記第１のグラフィックステクスチャと前記第２のグラフィックステクスチャとを組み合わせて使用することにより、表示されている少なくとも１つの画像の特徴が当該特徴の境界を表す境界領域により縁取られるように構成されることを特徴とする装置。
【請求項１０】
前記装置は、ナビゲーション又はマッピング装置を含み、
ユーザに対してデジタル地図を表示するためのディスプレイと、
デジタル地図データにアクセスし且つタイルベースの地図情報レンダリングを使用してデジタル地図を前記ディスプレイ上に表示させるように構成されたプロセッサとを備え、前記プロセッサが、
表示されるタイルを表す１つ又は複数のグラフィックスプリミティブにテクスチャを適用するために、前記デジタル地図の前記タイルに対して表示される１つ以上の地図の特徴を含む第１のグラフィックステクスチャと第２のグラフィックステクスチャとを組み合わせて使用し、且つ
前記デジタル地図を表示するために前記タイルを表示するために、前記適用されたテクスチャを有する前記タイルを表す前記１つ又は複数のグラフィックスプリミティブを表示することにより、
前記デジタル地図を表示するために表示されるタイルをレンダリングする手段を更に備えることを特徴とし、
前記第２のグラフィックステクスチャ及び前記組み合わせの動作は、前記第１のグラフィックステクスチャと前記第２のグラフィックステクスチャとを組み合わせて使用することにより、前記タイル上に表示されている少なくとも１つの地図の特徴が当該地図の特徴の境界を表す境界領域により縁取られるように構成されることを特徴とする請求項９記載の装置。
【請求項１１】
表示される画像又はタイルを表す１つ又は複数のグラフィックスプリミティブにテクスチャを適用するために、前記画像又は前記地図の前記タイルに対して表示される１つ以上の画像又は地図の特徴を含む第１のグラフィックステクスチャと第２のグラフィックステクスチャとを組み合わせて使用することにより、前記画像又は前記デジタル地図を表示するために表示される前記タイルをレンダリングする手段は、
前記画像又はタイルを表す前記１つ又は複数のグラフィックスプリミティブに適用される前記第１のグラフィックステクスチャと第２のグラフィックステクスチャとを組み合わせ、前記画像を表示するために又は前記デジタル地図を表示するための前記タイルを表示するために、前記適用されて組み合わされた第１のグラフィックステクスチャ及び第２のグラフィックステクスチャを有する前記画像又はタイルを表す前記１つ又は複数のグラフィックスプリミティブを表示する手段を含むことを特徴とする請求項１０記載の装置。
【請求項１２】
前記第１のグラフィックステクスチャは、１つ以上の画像又は地図の特徴と１つ以上の透明領域とを前記グラフィックスプリミティブ上に表示するように構成され、前記第２のグラフィックステクスチャは、画像又は地図の特徴と、前記テクスチャが組み合わされる場合に前記第１のグラフィックステクスチャの前記透明領域に現れる当該画像又は地図の特徴の境界とを表示するように構成され、
表示される前記画像又はタイルを表す１つ又は複数のグラフィックスプリミティブにテクスチャを適用するために、前記画像又は前記地図の前記タイルに対して表示される１つ以上の画像又は地図の特徴を含む第１のグラフィックステクスチャと第２のグラフィックステクスチャとを組み合わせて使用することにより、画像又は前記デジタル地図を表示するために表示されるタイルをレンダリングする手段は、
前記第１のグラフィックステクスチャとビュー方向に依存してパースペクティブ補正用に変位された前記第２のグラフィックステクスチャのバージョンとを組み合わせ且つ前記組み合わされた第１のグラフィックステクスチャ及び第２のグラフィックステクスチャを前記画像又はタイルを表す前記１つ又は複数のグラフィックスプリミティブに適用する手段を備えることを特徴とする請求項１０又は１１に記載の装置。
【請求項１３】
前記第１のグラフィックステクスチャは、表示される前記画像又は地図の特徴を含み、前記第２のグラフィックステクスチャは、２つのテクスチャが組み合わされる場合に前記第１のグラフィックステクスチャの選択領域の強度を変調する値を含む変調マップの形態であることを特徴とする請求項９から１１のいずれか１項に記載の装置。
【請求項１４】
前記第２のグラフィックステクスチャは、前記第１のグラフィックステクスチャ内の種々の前記画像又は地図の特徴の相対高さを示す高さマップと、ビュー方向に依存してパースペクティブ補正用に変位された前記高さマップのバージョンとから導出されることを特徴とする請求項１３記載の装置。
【請求項１５】
前記第１のグラフィックステクスチャは、表示される前記画像又は地図の特徴を含み、
前記第２のグラフィックステクスチャは、前記第１のグラフィックステクスチャの変位バージョンであり、
表示される前記画像又はタイルを表す１つ又は複数のグラフィックスプリミティブにテクスチャを適用するために、前記画像又は前記地図の前記タイルに対して表示される１つ以上の画像又は地図の特徴を含む第１のグラフィックステクスチャと第２のグラフィックステクスチャとを組み合わせて使用することにより、前記画像又は前記デジタル地図を表示するために表示される前記タイルをレンダリングする手段は、
前記第１のグラフィックステクスチャと前記第２のグラフィックステクスチャとを比較し且つ前記第１のグラフィックステクスチャと前記第２のグラフィックステクスチャとの前記比較に基づいて前記１つ又は複数のグラフィックスプリミティブにおける前記第１のグラフィックステクスチャの表示を選択的に変更する手段を含むことを特徴とする請求項１０記載の装置。
【請求項１６】
前記第１のグラフィックステクスチャは、表示される前記画像又は地図の特徴を含み、
前記第２のグラフィックステクスチャは、前記第１のグラフィックステクスチャの変位バージョンであり、
前記画像又はタイルを表すグラフィックスプリミティブの画素に対して表示される出力色は、当該画素に対する前記第１のグラフィックステクスチャの値と当該画素に対する前記第２のグラフィックステクスチャの値との比較に基づくことを特徴とする請求項９、１０又は１５記載の装置。
【請求項１７】
請求項９から１６のいずれか１項に記載の装置を備えることを特徴とするポータブルナビゲーション装置（ＰＮＤ）。
【請求項１８】
請求項１から８のいずれか１項に記載の方法を実行するために実行可能なコンピュータ可読命令を含むことを特徴とするコンピュータプログラム。
【請求項１９】
請求項９から１６のいずれか１項に記載の装置を備えることを特徴とする一体型ナビゲーションシステム。